【手続補正書】
【提出日】平成17年9月13日(2005.9.13)
【手続補正１】
【補正対象書類名】明細書
【補正対象項目名】発明の名称
【補正方法】変更
【補正の内容】
【発明の名称】画素回路、発光装置及び電子機器
【手続補正２】
【補正対象書類名】特許請求の範囲
【補正対象項目名】全文
【補正方法】変更
【補正の内容】
【特許請求の範囲】
【請求項１】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
を有することを特徴とする画素回路。
【請求項２】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
を有することを特徴とする画素回路。
【請求項３】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
ゲートが第４のゲート信号線に電気的に接続され、ソース又はドレインの一方が前記容量素子の第２の電極に電気的に接続され、ソース又はドレインの他方がソース信号線に電気的に接続された第７のトランジスタと、
を有することを特徴とする画素回路。
【請求項４】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
ゲートが第５のゲート信号線に電気的に接続され、ソース又はドレインの一方が前記容量素子の第２の電極に電気的に接続され、ソース又はドレインの他方がソース信号線に電気的に接続された第７のトランジスタと、
を有することを特徴とする画素回路。
【請求項５】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
を有することを特徴とする画素回路。
【請求項６】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
を有することを特徴とする画素回路。
【請求項７】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
ゲートが第４のゲート信号線に電気的に接続され、ソース又はドレインの一方が前記容量素子の第２の電極に電気的に接続され、ソース又はドレインの他方がソース信号線に電気的に接続された第６のトランジスタと、
を有することを特徴とする画素回路。
【請求項８】
ソース又はドレインの一方が電流供給線に電気的に接続された第１のトランジスタと、
ゲートが第１のゲート信号線に電気的に接続され、ソース又はドレインの一方が前記第１のトランジスタのソース又はドレインの他方に電気的に接続され、ソース又はドレインの他方が画素電極に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
ゲートが第５のゲート信号線に電気的に接続され、ソース又はドレインの一方が前記容量素子の第２の電極に電気的に接続され、ソース又はドレインの他方がソース信号線に電気的に接続された第６のトランジスタと、
を有することを特徴とする画素回路。
【請求項９】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第２のゲート信号線に電気的に接続され、ソース又はドレインの一方が前記第２のトランジスタのソース又はドレインの他方に電気的に接続され、ソース又はドレインの他方が画素電極に電気的に接続された第５のトランジスタと、
を有することを特徴とする画素回路。
【請求項１０】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第３のゲート信号線に電気的に接続され、ソース又はドレインの一方が前記第２のトランジスタのソース又はドレインの他方に電気的に接続され、ソース又はドレインの他方が画素電極に電気的に接続された第５のトランジスタと、
を有することを特徴とする画素回路。
【請求項１１】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第２のゲート信号線に電気的に接続され、ソース又はドレインの一方が前記第２のトランジスタのソース又はドレインの他方に電気的に接続され、ソース又はドレインの他方が画素電極に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項１２】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第３のゲート信号線に電気的に接続され、ソース又はドレインの一方が前記第２のトランジスタのソース又はドレインの他方に電気的に接続され、ソース又はドレインの他方が画素電極に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項１３】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第２のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
を有することを特徴とする画素回路。
【請求項１４】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第３のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
を有することを特徴とする画素回路。
【請求項１５】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第２のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項１６】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第３のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項１７】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第２のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
を有することを特徴とする画素回路。
【請求項１８】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第３のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
を有することを特徴とする画素回路。
【請求項１９】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第２のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項２０】
第１のトランジスタと、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と画素電極に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第３のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有することを特徴とする画素回路。
【請求項２１】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
を有する画素が設けられていることを特徴とする発光装置。
【請求項２２】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
を有する画素が設けられていることを特徴とする発光装置。
【請求項２３】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
ゲートが第４のゲート信号線に電気的に接続され、ソース又はドレインの一方が前記容量素子の第２の電極に電気的に接続され、ソース又はドレインの他方がソース信号線に電気的に接続された第７のトランジスタと、
を有する画素が設けられていることを特徴とする発光装置。
【請求項２４】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第４のトランジスタのソース又はドレインの一方、及び前記容量素子の第２の電極に電気的に接続された第５のトランジスタと、
ゲートが前記第１のトランジスタのゲートに電気的に接続され、ソース又はドレインの一方が前記第５のトランジスタのソース又はドレインの他方に電気的に接続され、ソース又はドレインの他方が前記第３のトランジスタのソース又はドレインの他方、及び前記第１のトランジスタのゲートに電気的に接続された第６のトランジスタと、
ゲートが第５のゲート信号線に電気的に接続され、ソース又はドレインの一方が前記容量素子の第２の電極に電気的に接続され、ソース又はドレインの他方がソース信号線に電気的に接続された第７のトランジスタと、
を有する画素が設けられていることを特徴とする発光装置。
【請求項２５】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
を有する画素が設けられていることを特徴とする発光装置。
【請求項２６】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ゲートが第４のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
を有する画素が設けられていることを特徴とする発光装置。
【請求項２７】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが前記第２のゲート信号線に電気的に接続され、ソース又はドレインの一方が前記容量素子の第２の電極に電気的に接続され、ソース又はドレインの他方が前記電流供給線に接続された第４のトランジスタと、
ゲートが第３のゲート信号線に電気的に接続され、ソース又はドレインの一方が前記第１のトランジスタのソース又はドレインの他方、及び前記第３のトランジスタのソース又はドレインの一方に電気的に接続され、ソース又はドレインの他方が電源線に電気的に接続された第５のトランジスタと、
ゲートが第４のゲート信号線に電気的に接続され、ソース又はドレインの一方が前記容量素子の第２の電極に電気的に接続され、ソース又はドレインの他方がソース信号線に電気的に接続された第６のトランジスタと、
を有する画素が設けられていることを特徴とする発光装置。
【請求項２８】
ソース又はドレインの一方が電流供給線に電気的に接続された第１のトランジスタと、
第１の電極及び第２の電極を有する発光素子と、
ゲートが第１のゲート信号線に電気的に接続され、ソース又はドレインの一方が前記第１のトランジスタのソース又はドレインの他方に電気的に接続され、ソース又はドレインの他方が前記発光素子の第１の電極又は第２の電極の一方に電気的に接続された第２のトランジスタと、
ゲートが第２のゲート信号線に電気的に接続され、ソース又はドレインの一方が前記第１のトランジスタのソース又はドレインの他方に電気的に接続され、ソース又はドレインの他方が前記第１のトランジスタのゲートに電気的に接続された第３のトランジスタと、
第１の電極が前記第１のトランジスタのゲートに電気的に接続された容量素子と、
ゲートが第３のゲート信号線に電気的に接続され、ソース又はドレインの一方が前記容量素子の第２の電極に電気的に接続され、ソース又はドレインの他方が前記電流供給線に接続された第４のトランジスタと、
ソース又はドレインの一方が前記第１のトランジスタのソース又はドレインの他方、及び前記第３のトランジスタのソース又はドレインの一方に電気的に接続され、ソース又はドレインの他方が電源線に電気的に接続され、ゲートが第４のゲート信号線に電気的に接続された第５のトランジスタと、
ソース又はドレインの一方が前記容量素子の第２の電極に電気的に接続され、ソース又はドレインの他方がソース信号線に電気的に接続され、ゲートが第５のゲート信号線に電気的に接続された第６のトランジスタと、
を有する画素が設けられていることを特徴とする発光装置。
【請求項２９】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第２のゲート信号線に電気的に接続され、ソース又はドレインの一方が前記第２のトランジスタのソース又はドレインの他方に電気的に接続され、ソース又はドレインの他方が前記発光素子の第１の電極又は第２の電極の一方に電気的に接続された第５のトランジスタと、
を有する画素が設けられていることを特徴とする発光装置。
【請求項３０】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第３のゲート信号線に電気的に接続され、ソース又はドレインの一方が前記第２のトランジスタのソース又はドレインの他方に電気的に接続され、ソース又はドレインの他方が前記発光素子の第１の電極又は第２の電極の一方に電気的に接続された第５のトランジスタと、
を有する画素が設けられていることを特徴とする発光装置。
【請求項３１】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第２のゲート信号線に電気的に接続され、ソース又はドレインの一方が前記第２のトランジスタのソース又はドレインの他方に電気的に接続され、ソース又はドレインの他方が前記発光素子の第１の電極又は第２の電極の一方に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項３２】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続され、ソース又はドレインの他方が電流供給線に電気的に接続された第４のトランジスタと、
ゲートが第３のゲート信号線に電気的に接続され、ソース又はドレインの一方が前記第２のトランジスタのソース又はドレインの他方に電気的に接続され、ソース又はドレインの他方が前記発光素子の第１の電極又は第２の電極の一方に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項３３】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第２のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
を有する画素が設けられていることを特徴とする発光装置。
【請求項３４】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第３のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
を有する画素が設けられていることを特徴とする発光装置。
【請求項３５】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第２のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項３６】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が前記第１のトランジスタのソース又はドレインの他方と前記第３のトランジスタのソース又はドレインの他方に電気的に接続された第４のトランジスタと、
ゲートが第３のゲート信号線に電気的に接続され、ソース又はドレインの一方が前記第４のトランジスタのソース又はドレインの他方に電気的に接続され、ソース又はドレインの他方が電流供給線に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項３７】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第２のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
を有する画素が設けられていることを特徴とする発光装置。
【請求項３８】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第３のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
を有する画素が設けられていることを特徴とする発光装置。
【請求項３９】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが前記第１のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第２のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
ゲートが第３のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項４０】
第１のトランジスタと、
第１の電極及び第２の電極を有する発光素子と、
第１の電極が前記第１のトランジスタのゲートに電気的に接続された容量素子と、
ゲートが第１のゲート信号線に電気的に接続され、ソース又はドレインの一方が前記第１のトランジスタのゲートと前記容量素子の第１の電極に電気的に接続され、ソース又はドレインの他方が前記第１のトランジスタのソース又はドレインの一方と前記発光素子の第１の電極又は第２の電極の一方に電気的に接続された第２のトランジスタと、
ゲートが第２のゲート信号線に電気的に接続され、ソース又はドレインの一方が前記容量素子の第２の電極に電気的に接続され、ソース又はドレインの他方が前記第１のトランジスタのソース又はドレインの他方に電気的に接続された第３のトランジスタと、
ゲートが前記第１のトランジスタのゲート、前記第２のトランジスタのソース又はドレインの一方、及び前記容量素子の第１の電極に電気的に接続され、ソース又はドレインの一方が電流供給線に電気的に接続された第４のトランジスタと、
ゲートが第３のゲート信号線に電気的に接続され、ソース又はドレインの一方が前記第１のトランジスタのソース又はドレインの他方と前記第３のトランジスタのソース又はドレインの他方に電気的に接続され、ソース又はドレインの他方が前記第４のトランジスタのソース又はドレインの他方に電気的に接続された第５のトランジスタと、
ゲートが第４のゲート信号線に電気的に接続され、ソース又はドレインの一方が前記第３のトランジスタのソース又はドレインの一方と前記容量素子の第２の電極に電気的に接続され、ソース又はドレインの他方がソース信号線に電気的に接続された第６のトランジスタと、
を有する画素が設けられていることを特徴とする発光装置。
【請求項４１】
請求項５、請求項６、請求項９、請求項１０、請求項１３、請求項１４、請求項１７又は請求項１８のいずれか一項において、
前記第１のトランジスタ、前記第２のトランジスタ、前記第３のトランジスタ、前記第４のトランジスタ、及び前記第５のトランジスタは、薄膜トランジスタであることを特徴とする画素回路。
【請求項４２】
請求項１、請求項２、請求項７、請求項８、請求項１１、請求項１２、請求項１５、請求項１６、請求項１９又は請求項２０のいずれか一項において、
前記第１のトランジスタ、前記第２のトランジスタ、前記第３のトランジスタ、前記第４のトランジスタ、前記第５のトランジスタ、及び前記第６のトランジスタは、薄膜トランジスタであることを特徴とする画素回路。
【請求項４３】
請求項３又は請求項４において、
前記第１のトランジスタ、前記第２のトランジスタ、前記第３のトランジスタ、前記第４のトランジスタ、前記第５のトランジスタ、前記第６のトランジスタ、及び前記第７のトランジスタは、薄膜トランジスタであることを特徴とする画素回路。
【請求項４４】
請求項１乃至請求項２０のいずれか一項において、
第１の電極が前記容量素子の第２の電極に電気的に接続され、第２の電極が前記電流供給線に電気的に接続された第２の容量素子を有することを特徴とする画素回路。
【請求項４５】
請求項３、請求項４、請求項７、請求項８、請求項１１、請求項１２、請求項１５、請求項１６、請求項１９又は請求項２０のいずれか一項において、
前記ソース信号線にアナログ映像信号が入力されることを特徴とする画素回路。
【請求項４６】
請求項３、請求項４、請求項７、請求項８、請求項１１、請求項１２、請求項１５、請求項１６、請求項１９又は請求項２０のいずれか一項において、
前記ソース信号線にデジタル映像信号が入力されることを特徴とする画素回路。
【請求項４７】
請求項２５、請求項２６、請求項２９、請求項３０、請求項３３、請求項３４、請求項３７又は請求項３８のいずれか一項において、
前記第１のトランジスタ、前記第２のトランジスタ、前記第３のトランジスタ、前記第４のトランジスタ、及び前記第５のトランジスタは、薄膜トランジスタであることを特徴とする発光装置。
【請求項４８】
請求項２１、請求項２２、請求項２７、請求項２８、請求項３１、請求項３２、請求項３５、請求項３６、請求項３９又は請求項４０のいずれか一項において、
前記第１のトランジスタ、前記第２のトランジスタ、前記第３のトランジスタ、前記第４のトランジスタ、前記第５のトランジスタ、及び前記第６のトランジスタは、薄膜トランジスタであることを特徴とする発光装置。
【請求項４９】
請求項２３又は請求項２４において、
前記第１のトランジスタ、前記第２のトランジスタ、前記第３のトランジスタ、前記第４のトランジスタ、前記第５のトランジスタ、前記第６のトランジスタ、及び前記第７のトランジスタは、薄膜トランジスタであることを特徴とする発光装置。
【請求項５０】
請求項２１乃至請求項４０のいずれか一項において、
第１の電極が前記容量素子の第２の電極に電気的に接続され、第２の電極が前記電流供給線に電気的に接続された第２の容量素子を有することを特徴とする発光装置。
【請求項５１】
請求項２３、請求項２４、請求項２７、請求項２８、請求項３１、請求項３２、請求項３５、請求項３６、請求項３９又は請求項４０のいずれか一項において、
前記ソース信号線にアナログ映像信号が入力されることを特徴とする発光装置。
【請求項５２】
請求項２３、請求項２４、請求項２７、請求項２８、請求項３１、請求項３２、請求項３５、請求項３６、請求項３９又は請求項４０のいずれか一項において、
前記ソース信号線にデジタル映像信号が入力されることを特徴とする発光装置。
【請求項５３】
請求項２１乃至請求項４０のいずれか一項において、
前記画素と同じ基板上に設けられたゲート信号線駆動回路を有することを特徴とすることを特徴とする発光装置。
【請求項５４】
請求項２３、請求項２４、請求項２７、請求項２８、請求項３１、請求項３２、請求項３５、請求項３６、請求項３９又は請求項４０のいずれか一項において、
前記画素と同じ基板上に設けられたソース信号線駆動回路を有することを特徴とすることを特徴とする発光装置。
【請求項５５】
請求項２３、請求項２４、請求項２７、請求項２８、請求項３１、請求項３２、請求項３５、請求項３６、請求項３９又は請求項４０のいずれか一項において、
前記画素と同じ基板上に設けられ、映像信号を前記ソース信号線に供給するためのスイッチを含むソース信号線駆動回路を有することを特徴とする発光装置。
【請求項５６】
請求項２３、請求項２４、請求項２７、請求項２８、請求項３１、請求項３２、請求項３５、請求項３６、請求項３９又は請求項４０のいずれか一項において、
前記画素と同じ基板上に設けられたゲート信号線駆動回路とソース信号線駆動回路を有することを特徴とすることを特徴とする発光装置。
【請求項５７】
請求項２１乃至請求項４０又は請求項４７乃至請求項５６のいずれか一項において、
前記発光素子は、ＥＬ素子であることを特徴とする発光装置。
【請求項５８】
請求項１乃至請求項２０又は請求項４１乃至請求項４６のいずれか一項に記載の前記画素回路を用いた電子機器。
【請求項５９】
請求項２１乃至請求項４０又は請求項４７乃至請求項５７のいずれか一項に記載の前記発光装置を用いた電子機器。